(57)【要約】【課題】容器本体後部に蓋体の開閉操作部分を設ける場合に、外観を向上することが可能であるとともに、容器本体内への塵埃の侵入を防ぎつつ良好な操作性も確保することが可能なコンパクト容器を提供する。【解決手段】蓋体１を回動自在に結合するヒンジ部２を有する容器本体３の後部に、ヒンジ部に隣接させて設けられ、容器本体前方へ向かって押圧操作される弾性変形な弾性操作部４と、容器本体の後部に、弾性操作部に隠蔽される位置に配置して形成された開口部５と、容器本体内にその前後方向へスライド移動自在に設けられ、開口部を介して押圧部６ａが弾性操作部に向かって突出されたスライドピース６と、スライドピースを容器本体後方へ向かって弾発するバネ片７と、スライドピースと蓋体との間に設けられ、スライドピースの前後スライド移動に応じて当該スライドピースと蓋体とを係脱自在に係合するフック片１５および突起２０とを備えた。【選択図】図１
2007117313.tif 000002
【特許請求の範囲】
【請求項１】
蓋体を回動自在に結合するヒンジ部を有する容器本体の後部に、該ヒンジ部に隣接させて設けられ、該容器本体前方へ向かって押圧操作される弾性変形な弾性操作部と、上記容器本体の後部に、上記弾性操作部に隠蔽される位置に配置して形成された開口部と、上記容器本体内にその前後方向へスライド移動自在に設けられ、上記開口部を介して押圧部が上記弾性操作部に向かって突出されたスライドピースと、該スライドピースを上記容器本体後方へ向かって弾発する弾発部材と、上記スライドピースと上記蓋体との間に設けられ、該スライドピースの前後スライド移動に応じて当該スライドピースと該蓋体とを係脱自在に係合するフックとを備えたことを特徴とするコンパクト容器。
【請求項２】
前記容器本体と前記蓋体との間には、該蓋体を開放方向へ付勢する付勢部材が設けられることを特徴とする請求項１に記載のコンパクト容器。
【請求項３】
前記弾性操作部には操作位置を示すマークが設けられることを特徴とする請求項１または２に記載のコンパクト容器。
【発明の詳細な説明】
【技術分野】
【０００１】
本発明は、容器本体後部に蓋体の開閉操作部分を設ける場合に、外観を向上することが可能であるとともに、容器本体内への塵埃の侵入を防ぎつつ良好な操作性も確保することが可能なコンパクト容器に関する。
【背景技術】
【０００２】
従来、容器本体の後部で操作して蓋体を開放するようにしたコンパクト容器が知られている（特許文献１参照）。このコンパクト容器は、容器本体の後端に凹所を形成して該凹所に蓋体の蝶番部を連結し、これによって該蓋体を該容器本体に対して開閉自在となすとともに、該容器本体の内部底面に案内溝を形成し、該案内溝に該容器本体の前後方向に摺動自在であって後方の所定位置まで復帰可能に付勢されたスライド部材を配設し、該スライド部材に立上り部を形成して該立上り部の内面に形成された突片を該蓋体の内面に突設した被係合部と係脱自在に対向させる一方、該スライド部材の後端を該容器本体の凹所に延出しかつ該延出部を該蓋体の蝶番部と当接不能となし、該蓋体の外周部内面と該容器本体の外周部上面との間に該蓋体を開放する方向に付勢する付勢部材を介在させ、該スライド部材の該延出部の前方への押圧により該スライド部材の該突片と該蓋体の該被係合部との係合が解除されると同時に該蓋体が開放されるようになっている。
【特許文献１】実公昭６２−１３５３０号公報
【発明の開示】
【発明が解決しようとする課題】
【０００３】
ところで、上記コンパクト容器にあっては、蓋体を開放する際に前方へ押圧操作されるスライド部材後端の延出部を、容器本体の凹所に延出して、容器本体後方へ突起様に露出させるようにしていた。このため、コンパクト容器を後方から見た場合、延出部が突出する凹所が見え、そしてまたその凹所から突起様に突出する延出部は容器本体と一体感がなく、コンパクト容器としての外観がよくないという課題があった。また、凹所が容器本体後方に直接開放されているため、埃などが容器本体内に侵入しやすかった。また、押圧操作される延出部の幅寸法は、凹所の幅寸法に制限されるため、埃などの侵入を防ぐために凹所の幅を狭くすると、押圧操作のために手指を当てる延出部の幅寸法も狭まり、円滑な操作性を確保できないとともに、凹所の幅を広げて延出部を幅広にすると、埃などが容器本体内にさらに侵入しやすくなるという課題があった。
【０００４】
本発明は上記従来の課題に鑑みて創案されたものであって、容器本体後部に蓋体の開閉操作部分を設ける場合に、外観を向上することが可能であるとともに、容器本体内への塵埃の侵入を防ぎつつ良好な操作性も確保することが可能なコンパクト容器を提供することを目的とする。
【課題を解決するための手段】
【０００５】
本発明にかかるコンパクト容器は、蓋体を回動自在に結合するヒンジ部を有する容器本体の後部に、該ヒンジ部に隣接させて設けられ、該容器本体前方へ向かって押圧操作される弾性変形な弾性操作部と、上記容器本体の後部に、上記弾性操作部に隠蔽される位置に配置して形成された開口部と、上記容器本体内にその前後方向へスライド移動自在に設けられ、上記開口部を介して押圧部が上記弾性操作部に向かって突出されたスライドピースと、該スライドピースを上記容器本体後方へ向かって弾発する弾発部材と、上記スライドピースと上記蓋体との間に設けられ、該スライドピースの前後スライド移動に応じて当該スライドピースと該蓋体とを係脱自在に係合するフックとを備えたことを特徴とする。
【０００６】
前記容器本体と前記蓋体との間には、該蓋体を開放方向へ付勢する付勢部材が設けられることを特徴とする。
【０００７】
前記弾性操作部には操作位置を示すマークが設けられることを特徴とする。
【発明の効果】
【０００８】
本発明にかかるコンパクト容器にあっては、容器本体後部に蓋体の開閉操作部分を設ける場合に、外観を向上することができるとともに、容器本体内への塵埃の侵入を防ぎつつ良好な操作性も確保することができる。
【発明を実施するための最良の形態】
【０００９】
以下に、本発明にかかるコンパクト容器の好適な一実施形態を、添付図面を参照して詳細に説明する。本実施形態にかかるコンパクト容器は基本的には、図１〜図６に示すように、蓋体１を回動自在に結合するヒンジ部２を有する容器本体３の後部に、ヒンジ部２に隣接させて設けられ、容器本体３前方へ向かって押圧操作される弾性変形な弾性操作部４と、容器本体３の後部に、弾性操作部４に隠蔽される位置に配置して形成された開口部５と、容器本体３内にその前後方向へスライド移動自在に設けられ、開口部５を介して押圧部６ａが弾性操作部４に向かって突出されたスライドピース６と、スライドピース６を容器本体３後方へ向かって弾発する弾発部材としてのバネ片７と、スライドピース６と蓋体１との間に設けられ、スライドピース６の前後スライド移動に応じて当該スライドピース６と蓋体１とを係脱自在に係合するフック８とを備えて構成される。
【００１０】
容器本体３は、２つの収納部９を有する中皿１０を収容する凹所１１を有する。中皿１０は、これに形成された係合突起１２が容器本体３に形成された係合凹部１３に係合されて凹所１１内に保持される。容器本体３の後部には、その両端から後方へ突出させて左右一対のヒンジ部２が一体的に形成される。また、容器本体３の後部中央には、これらヒンジ部２に隣接する配置でヒンジ部２間に位置させて、長い長さ寸法で弾性操作部４が一体的に形成される。この弾性操作部４は、容器本体３後部からヒンジ部２の突出寸法相当で突出された一対の脚部４ａと、これら脚部４ａ間に、容器本体３後部から隙間Ａを隔てて形成され、容器本体３前方へ向かって押圧操作されると、当該隙間Ａを利用して容器本体３後部に接近するように弾性的にたわみ変形される帯状弾性片部４ｂとから構成される。
【００１１】
中皿１０には、その周縁部上端から外方へ向かって張り出す庇部１０ａが一体的に形成され、弾性操作部４はこの庇部１０ａによって上方から覆い隠される。さらに、容器本体３の後部には、弾性操作部４に面して、凹所１１を容器本体３後方へ向かって開放する開口部５が形成される。従ってこの開口部５は、容器本体３後方から見て、弾性操作部４に隠蔽される位置に配置される。
【００１２】
容器本体３の凹所１１の底面には、容器本体３の前後方向に延びる縦溝１４ａと左右方向に延びる横溝１４ｂとから、おおよそ十字形状をなす溝部１４が形成される。縦溝１４ａは凹所１１の前端から後端にわたって形成され、その後端は開口部５に連通される。この溝部１４内には、板状のスライドピース６が設けられる。スライドピース６は、縦溝１４ａに沿う方向の長さ寸法が当該縦溝１４ａよりも短く形成され、縦溝１４ａ内で容器本体３の前後方向へスライド移動自在に設けられる。このスライドピース６には、これより左右方向に延出されて横溝１４ｂ内に配置され、当該横溝１４ｂを介して容器本体３に反力をとってスライドピース６を容器本体３後方へ向かって弾発する弾発部材として、一対のバネ片７が一体的に形成される。
【００１３】
また、スライドピース６の後端は、押圧部６ａとされる。この押圧部６ａは、バネ片７によってスライドピース６が容器本体３後方に位置する際、開口部５を介して弾性操作部４の帯状弾性片部４ｂに向かって突出される。従って、スライドピース６は、弾性操作部４が容器本体３前方へ向かって押圧操作されると、この押圧操作によって押圧部６ａが押圧され、その結果、容器本体３前方へ移動する。また、押圧操作されないときには、バネ片７によって、容器本体３後方へ移動し、押圧部６ａが開口部５から容器本体３後方へ突出される。
【００１４】
スライドピース６の前端には上方に立ち上げて縦壁部６ｂが一体的に形成され、この縦壁部６ｂの上端には、容器本体３後方へ向かって突出させてフック片１５が形成される。フック片１５は、庇部１０ａ下の、中皿１０と容器本体３との間に形成される空間Ｓを利用して、スライドピース６の前後スライドに応じて前後方向に移動される。
【００１５】
容器本体３には、これを開閉する鏡板１６付きの蓋体１が取り付けられる。蓋体１の後部には、容器本体３後部の左右一対のヒンジ部２と中央の弾性操作部４との間に垂下させて、左右一対のヒンジブロック１７が一体的に形成される。中皿１０の庇部１０ａには、ヒンジブロック１７との干渉を避けるために、切り欠き部１８が形成される。左右それぞれのヒンジブロック１７とヒンジ部２とには、これらを貫通して、ヒンジ部２に対してヒンジブロック１７を、ひいては容器本体３に対して蓋体１を回動自在に結合するヒンジピン１９が挿通される。ヒンジブロック１７は、容器本体３後部から突出されるヒンジ部２の外形形態に揃う外形形態で形成される。また、弾性操作部４は、左右のヒンジ部２それぞれに結合される一対のヒンジブロック１７間にわたる長さ寸法で形成される。これにより、容器本体３後部は、ほぼ同じ突出量で容器本体３後部から突出され、かつ左右方向にほぼ隙間なく連続するヒンジ部２、ヒンジブロック１７および弾性操作部４により、一連のまとまりのある外形形態で形成される。
【００１６】
蓋体１の前部には、これより下方へ垂下させて垂下片１ａが一体的に形成され、垂下片１ａの先端には、容器本体３前方に突出されて、スライドピース６のフック片１５に係脱自在に係合される突起２０が形成される。これら突起２０とフック片１５とによって、スライドピース６と蓋体１とを係脱自在に係合するフック８が構成される。フック８は、スライドピース６が容器本体３の前方へ移動されることで係合解除され、またスライドピース６が容器本体３の後方へ移動されることで係合状態とされる。中皿１０の庇部１０ａには、垂下片１ａが挿通される貫通孔２１が形成される。
【００１７】
さらに、図６に示すように、容器本体３の後部と蓋体１のヒンジブロック１７との間には、付勢部材として、ゴムなどの弾性体２２が設けられる。この弾性体２２は、容器本体３後部に、ヒンジブロック１７に向かって突出させて設けられ、蓋体１を閉じるときにヒンジブロック１７に弾接し、これにより、当該ヒンジブロック１７を介して蓋体１を開放方向へ付勢するようになっている。
【００１８】
本実施形態にかかるコンパクト容器の作用について説明する。組み立てに際しては、容器本体３の溝部１４の横溝１４ｂにバネ片７を組み込んで、縦溝１４ａにスライドピース６を配置する。スライドピース６を溝部１４に配置すると、押圧部６ａは開口部５から容器本体４後方に突出した状態となる。次いで、容器本体３内に中皿１０を装着する。中皿１０を装着すると、弾性操作部４は庇部１０ａで覆われて容器本体３上方からは見えなくなる。中皿１０を装着した際、スライドピース６の縦壁部６ｂおよびフック片１５は、中皿１０と容器本体３との間の空間Ｓに位置される。その後、ヒンジ部２とヒンジブロック１７とをヒンジピン１９で結合して、蓋体１を容器本体３に回動自在に取り付ける。組み立ては、先に蓋体１を容器本体３に取り付けてから行うようにしてもよい。
【００１９】
コンパクト容器を使用するにあたっては、開いている蓋体１を閉じていくと、蓋体１の垂下片１ａが中皿１０の庇部１０ａに形成された貫通孔２１を介して庇部１０ａ下に進入する。庇部１０ａ下に進入した垂下片１ａの突起２０は、フック片１５に当接してこれを容器本体３前方へ押圧する。フック片１５が押圧されると、スライドピース６はバネ片７の弾発力に抗して容器本体３前方へ移動し、これにより突起２０がフック片１５下に入り込んでフック８が係合し、蓋体１による容器本体３の閉止状態が保持される。
【００２０】
他方、蓋体１を開放する際には、容器本体３後部の開口部５および当該開口部５より突出するスライドピース６の押圧部６ａを隠蔽するとともに、容器本体３後部でヒンジブロック１７やヒンジ部２とともに一連の外形形態を形成する弾性操作部４を手指などで押圧操作することになる。弾性操作部４の帯状弾性片部４ｂを容器本体３前方へ押圧操作すると、これによりスライドピース６の押圧部６ａが容器本体３内方へ押し込まれ、この押し込みによりスライドピース６は、バネ片７の弾発力に抗して容器本体３前方へスライド移動する。スライドピース６の容器本体３前方へのスライド移動により、フック８のフック片１５が突起２０から離脱する。突起２０がフック片１５から離脱すると、蓋体１を開放方向へ付勢している弾性体２２によって、当該蓋体１が容器本体３から離れるように上方へ持ち上げられる。
【００２１】
一旦蓋体１が持ち上がると、フック片１５が突起２０と再度係合することはなく、蓋体１を円滑に開放操作することができる。蓋体１が弾性体２２で持ち上げられた後は、弾性操作部４から手指を離せば、バネ片７によってスライドピース６は容器本体３後方へとスライド移動し、押圧部６ａが開口部５から弾性操作部４に向かって突出し、再度の蓋体１の開放操作に対し、待機することになる。
【００２２】
ところで、本実施形態にかかるコンパクト容器にあっては、容器本体３後部に蓋体１の開閉操作部分を設ける場合に、当該容器本体３後部の開口部５やスライドピース６の押圧部６ａを隠蔽する弾性操作部４を備えるようにしたので、コンパクト容器を後方から見た場合の外観を向上することができる。また、開口部５を弾性操作部４によってある程度隠蔽することができるので、埃などの侵入を適切に防ぐことができる。また、弾性操作部４を操作することで押圧部６ａ、ひいてはスライドピース６をスライド移動させるようにしたので、押圧部６ａ自体の寸法を小さく設定することができ、開口部５をさらに狭めて、容器本体３内への塵埃等の侵入を効果的に防ぐことができる。そしてこのように開口部５を狭め、かつ押圧部６の寸法を小さくしても、ヒンジ部２に隣接する幅広な弾性操作部４を押圧操作することで適切にスライドピース６を作動させることができ、開口部５や押圧部６ａを大きくすることなく、良好な操作性を確保することができる。
【００２３】
また、容器本体３と蓋体１との間に、蓋体１を開放方向へ付勢する弾性体２２を設けたので、スライドピース６を押圧操作して一旦フック８を係合解除すれば、弾性操作部４から手指を離しても再度フック８が係合することはなく、円滑に蓋体１を開放操作することができる。
【００２４】
図７には、上記実施形態の変形例が示されている。この変形例にあっては、弾性操作部４には、容器本体３後方へ僅かに隆起させて、凸部２３が形成されている。この凸部２３は、操作位置を示すマークとして機能する。これにより、蓋体１の開閉操作部分が容器本体３後部にあることを使用者に適切に認知させることができる。このような変形例にあっても、上記実施形態と同様な作用効果を発揮することはもちろんである。
【図面の簡単な説明】
【００２５】
【図１】本発明にかかるコンパクト容器の好適な一実施形態を示す分解斜視図である。
【図２】図１に示したコンパクト容器の側断面図である。
【図３】図１に示したコンパクト容器の前方上方からの斜視図である。
【図４】図１に示したコンパクト容器の後方上方からの斜視図である。
【図５】図１に示したコンパクト容器の後方下方からの斜視図である。
【図６】図１に示したコンパクト容器の要部側断面図である。
【図７】本発明にかかるコンパクト容器の変形例を示す後方上方からの斜視図である。
【符号の説明】
【００２６】
１  蓋体
２  ヒンジ部
３  容器本体
４  弾性操作部
５  開口部
６  スライドピース
６ａ  押圧部
７  バネ片
８  フック
２２  弾性体
２３  凸部
【図１】
2007117313.tif 000003
【図２】
2007117313.tif 000004
【図３】
2007117313.tif 000005
【図４】
2007117313.tif 000006
【図５】
2007117313.tif 000007
【図６】
2007117313.tif 000008
【図７】
2007117313.tif 000009